(57)【要約】【課題】室内へ入射する光線の明るさを調整し、室内の採光状況を変えることができるとともに洗浄し易いコードレス磁気吸引式スクリーン構造を提供する。【解決手段】本考案に係るスクリーン構造は、第１のスクリーンユニット１と、複数の第２のスクリーンユニット２と、第３のスクリーンユニット３とを備える。第１のスクリーンユニット１は、透光カーテン布１１、磁気ユニット１２、第１の結合部材１３及び第２の結合部材１４を有する。透光カーテン布１１の頂端には、スクリーン管部１１１が設けられる。スクリーン管部１１１は、横方向で縫着されて第１の穿孔スリーブ１１１１及び第２の穿孔スリーブ１１１２が形成される。磁気ユニット１２は、第２の穿孔スリーブ１１１２内に配設される。第１の結合部材１３は、透光カーテン布１１の底端一面に形成される。【選択図】図２
0003211877.tif 000002
【実用新案登録請求の範囲】
【請求項１】
第１のスクリーンユニットと、複数の第２のスクリーンユニットと、第３のスクリーンユニットとを備えた、コードレス磁気吸引式スクリーン構造であって、
第１のスクリーンユニットは、透光カーテン布、磁気ユニット、第１の結合部材及び第２の結合部材を有し、透光カーテン布の頂端には、スクリーン管部が設けられ、スクリーン管部には、透光カーテン布が巻き付けられて縫着部が形成され、スクリーン管部は、横方向で縫着されて第１の穿孔スリーブ及び第２の穿孔スリーブが形成され、磁気ユニットは、第２の穿孔スリーブ内に配設され、第１の結合部材は、透光カーテン布の底端一面に形成され、第２の結合部材は、透光カーテン布の後方に位置し、スクリーン管部の第２の穿孔スリーブに形成され、
第２のスクリーンユニットは、遮光カーテン布と、組み合わせ部材と、複数の穿孔スリーブと、複数の磁気ユニットと、重り杆と、金属ユニットと、を有し、遮光カーテン布は、底端にスクリーン管部が設けられ、スクリーン管部には、遮光カーテン布が巻き付けられて縫着部が形成され、組み合わせ部材は、遮光カーテン布の頂端一面に形成され、組み合わせ部材により、第１のスクリーンユニットの透光カーテン布の第１の結合部材に接続されて垂れ下がった状態となり、第２のスクリーンユニットと第１のスクリーンユニットとは分離可能であり、穿孔スリーブは、生地が遮光カーテン布の背面に縫着され、組み合わせ部材の下方に順次配列され、磁気ユニットは、組み合わせ部材下方の穿孔スリーブ内にそれぞれ順次配列され、重り杆は、遮光カーテン布のスクリーン管部内に配設され、金属ユニットは、磁気ユニットと重り杆との間の穿孔スリーブ内に配設され、金属ユニットを介して磁気ユニットに吸着され、第２のスクリーンユニットが折り畳んだ状態か垂れ下がった状態となり、
第３のスクリーンユニットは、遮光カーテン布と、磁気ユニットと、重り杆と、少なくとも１つの結合部材と、少なくとも１つの組み合わせ部材と、を有し、遮光カーテン布は、頂端に第１のスクリーン管部が設けられ、底端に第２のスクリーン管部が設けられ、第１のスクリーン管部及び第２のスクリーン管部には、遮光カーテン布がそれぞれ巻き付けられて縫着部が形成され、磁気ユニットは、第１のスクリーン管部内に設置され、第１のスクリーンユニットの透光カーテン布の磁気ユニットに磁気吸引されて垂れ下がった状態となり、第３のスクリーンユニットと第１のスクリーンユニットとは分離可能であり、重り杆は、遮光カーテン布の第２のスクリーン管部内に配設され、結合部材は、遮光カーテン布の頂端後方の両側に形成され、組み合わせ部材は、遮光カーテン布の底端後方の両側に形成され、組み合わせ部材は、結合部材に粘着され、第３のスクリーンユニットは、折り畳んだ状態か垂れ下がって展開した状態であることを特徴とするコードレス磁気吸引式スクリーン構造。
【請求項２】
第１のスクリーンユニット、複数の第２のスクリーンユニット及び第３のスクリーンユニットの各磁気ユニットは、それぞれ杆体を有し、全体的に長尺状を呈し、杆体には、少なくとも１つの磁石が配設されることを特徴とする請求項１に記載のコードレス磁気吸引式スクリーン構造。
【請求項３】
各第２のスクリーンユニットは、調整ユニットを有し、
調整ユニットは、複数の第２のスクリーンユニットの遮光カーテン布の前方に設けられて金属ユニットに位置し、
調整ユニットは、調整ブロックと、２つの挟持ブロックと、複数の螺着部材と、を有し、調整ブロックは、第２のスクリーンユニットの遮光カーテン布の前方に配設されるとともに、底端が弧形状に形成され、金属ユニットに嵌合する抱合面を有し、底端両側に少なくとも１つの孔部が形成され、頂端に延伸端が設けられ、挟持ブロックは、複数の第２のスクリーンユニットの遮光カーテン布の後方、かつ、調整ブロックの底端両側に対応して配設され、調整ブロックの各孔部に対応した少なくとも１つの枢着孔を有し、螺着部材は、２つの挟持ブロックの各枢着孔にそれぞれ枢着され、調整ブロックの各孔部に螺合し、調整ユニットが固定されることを特徴とする請求項１に記載のコードレス磁気吸引式スクリーン構造。
【請求項４】
第１のスクリーンユニットの第１の結合部材及び第２の結合部材と、第３のスクリーンユニットの結合部材とは、オス型面ファスナー部、メス型面ファスナー部の何れかであり、
各第２のスクリーンユニットの組み合わせ部材と第３のスクリーンユニットの組み合わせ部材とは、メス型面ファスナー部、オス型面ファスナー部の何れかであることを特徴とする請求項１に記載のコードレス磁気吸引式スクリーン構造。
【請求項５】
第４のスクリーンユニットをさらに備え、
第４のスクリーンユニットは、透光カーテン布、組み合わせ部材及び重り杆を有し、透光カーテン布の底端には、スクリーン管部が設けられ、スクリーン管部には、透光カーテン布が巻き付けられて縫着部が形成され、組み合わせ部材は、透光カーテン布の頂端前方に位置して形成され、組み合わせ部材は、第１のスクリーンユニットの透光カーテン布の底端後方に粘着され、第４のスクリーンユニットが第１のスクリーンユニットの透光カーテン布の底端に粘着されて垂れ下がった状態となり、第４のスクリーンユニットと第１のスクリーンユニットとは分離可能であり、重り杆は、透光カーテン布のスクリーン管部内に配設されることを特徴とする請求項４に記載のコードレス磁気吸引式スクリーン構造。
【請求項６】
第１のスクリーンユニットの透光カーテン布の底端後方には、第４のスクリーンユニットの透光カーテン布の組み合わせ部材を粘着する第３の結合部材が設けられ、
第１のスクリーンユニットの透光カーテン布の第３の結合部材は、オス型面ファスナー部又はメス型面ファスナー部の何れかであり、
第４のスクリーンユニットの透光カーテン布の組み合わせ部材は、メス型面ファスナー部又はオス型面ファスナー部の何れかであることを特徴とする請求項５に記載のコードレス磁気吸引式スクリーン構造。
【請求項７】
第１のスクリーンユニットの第１の結合部材と、各第２のスクリーンユニットの組み合わせ部材とは連結杆であり、両者間に挟持スリーブを組み合わせて挟持固定し、
第１のスクリーンユニットの第２の結合部材と第３のスクリーンユニットの結合部材とは、オス型面ファスナー部、メス型面ファスナー部の何れかであり、
第３のスクリーンユニットの組み合わせ部材は、メス型面ファスナー部、オス型面ファスナー部の何れかであることを特徴とする請求項１に記載のコードレス磁気吸引式スクリーン構造。
【請求項８】
挟持スリーブは、略Ｃ字状管に形成され、収容槽及び挟圧口が画成され、第１のスクリーンユニットの第１の結合部材と各第２のスクリーンユニットの組み合わせ部材とが収容槽内に収容され、挟圧口と係合されて位置決めされることを特徴とする請求項７に記載のコードレス磁気吸引式スクリーン構造。
【請求項９】
第４のスクリーンユニットをさらに備え、
第４のスクリーンユニットは、第１のスクリーンユニットの透光カーテン布の底端に位置するとともに、第２のスクリーンユニットの遮光カーテン布の後方に位置して垂れ下がった状態となることを特徴とする請求項８に記載のコードレス磁気吸引式スクリーン構造。
【請求項１０】
第４のスクリーンユニットは、透光カーテン布、組み合わせ部材及び重り杆を有し、
透光カーテン布の底端には、スクリーン管部が設けられ、透光カーテン布が巻き付けられて縫着部が形成され、
組み合わせ部材は、連結杆であるとともに、透光カーテン布の頂端一面に形成され、組み合わせ部材は、挟持スリーブの収容槽内に収容され、挟圧口と係合されて位置決めされ、第４のスクリーンユニットが第１のスクリーンユニットの透光カーテン布の底端に位置して垂れ下がった状態となり、第４のスクリーンユニットと第１のスクリーンユニットとは分離可能であり、重り杆は、透光カーテン布のスクリーン管部内に配設されることを特徴とする請求項９に記載のコードレス磁気吸引式スクリーン構造。
【考案の詳細な説明】
【技術分野】
【０００１】
本考案は、コードレス磁気吸引式スクリーン構造に関するものであり、さらに詳しくは、各第２のカーテンユニットの遮光カーテン布及び第３のカーテンユニットの遮光カーテン布を介し、折り畳み又は展開し、太陽光の一部を照射し又は太陽光の一部を遮蔽することにより、室内への入射光線の明るさを調整し、室内の採光状況を変えることができるとともに洗浄し易いコードレス磁気吸引式スクリーン構造に関するものである。
【背景技術】
【０００２】
従来のカーテン（例えば、ローマンシェード、ロールスクリーンなど）は、上梁と、昇降ユニットと、上梁の底部に接続されたカーテンとから構成される。昇降ユニットは、多数のプルコード及び昇降コードを有する。カーテンは、複数の横方向の垂下部が接続されて構成され、横方向の垂下部上に形成された少なくとも１つの穿孔に昇降コードを挿通して最下方の穿孔に固着する。この構成により、プルコードを引っ張ると昇降コードがカーテンに連動し、上昇・下降の動作を行う。
【０００３】
しかし上述した従来技術は、常態下でプルコードが窓の一側辺から露出されているため、幼児や子どもなどが好奇心から又はふざけて遊んで首にプルコードが絡まってしまい、自ら解くことができずに首が絞められて死亡してしまうことがあり、幼児や子どもなどにとって危険であり、依然として改善の余地があった。
【考案の概要】
【考案が解決しようとする課題】
【０００４】
従って、本考案の主な課題は、室内の採光状況を変えることができるとともに洗浄し易いコードレス磁気吸引式スクリーン構造を提供することにある。
【課題を解決するための手段】
【０００５】
そこで、本考案者は、前記の課題を解決するために鋭意検討を重ねた結果、後述のように第２のカーテンユニットの遮光カーテン布及び第３のカーテンユニットの遮光カーテン布を折り畳み又は展開し、太陽光の一部を照射するか又は一部を遮り、室内へ入射する光線の明るさを調整することにより、前記課題を解決できる点に着目し、かかる知見に基いて本考案に想到するに至った。
【０００６】
かくして、本考案の要旨は次の（１）〜（１０）に示す通りである。
（１）第１のスクリーンユニットと、複数の第２のスクリーンユニットと、第３のスクリーンユニットとを備えた、コードレス磁気吸引式スクリーン構造であって、
第１のスクリーンユニットは、透光カーテン布、磁気ユニット、第１の結合部材及び第２の結合部材を有し、透光カーテン布の頂端には、スクリーン管部が設けられ、スクリーン管部には、透光カーテン布が巻き付けられて縫着部が形成され、スクリーン管部は、横方向で縫着されて第１の穿孔スリーブ及び第２の穿孔スリーブが形成され、磁気ユニットは、第２の穿孔スリーブ内に配設され、第１の結合部材は、透光カーテン布の底端一面に形成され、第２の結合部材は、透光カーテン布の後方に位置し、スクリーン管部の第２の穿孔スリーブに形成され、
第２のスクリーンユニットは、遮光カーテン布と、組み合わせ部材と、複数の穿孔スリーブと、複数の磁気ユニットと、重り杆と、金属ユニットと、を有し、遮光カーテン布は、底端にスクリーン管部が設けられ、スクリーン管部には、遮光カーテン布が巻き付けられて縫着部が形成され、組み合わせ部材は、遮光カーテン布の頂端一面に形成され、組み合わせ部材により、第１のスクリーンユニットの透光カーテン布の第１の結合部材に接続されて垂れ下がった状態となり、第２のスクリーンユニットと第１のスクリーンユニットとは分離可能であり、穿孔スリーブは、生地が遮光カーテン布の背面に縫着され、組み合わせ部材の下方に順次配列され、磁気ユニットは、組み合わせ部材下方の穿孔スリーブ内にそれぞれ順次配列され、重り杆は、遮光カーテン布のスクリーン管部内に配設され、金属ユニットは、磁気ユニットと重り杆との間の穿孔スリーブ内に配設され、金属ユニットを介して磁気ユニットに吸着され、第２のスクリーンユニットが折り畳んだ状態か垂れ下がった状態となり、
第３のスクリーンユニットは、遮光カーテン布と、磁気ユニットと、重り杆と、少なくとも１つの結合部材と、少なくとも１つの組み合わせ部材と、を有し、遮光カーテン布は、頂端に第１のスクリーン管部が設けられ、底端に第２のスクリーン管部が設けられ、第１のスクリーン管部及び第２のスクリーン管部には、遮光カーテン布がそれぞれ巻き付けられて縫着部が形成され、磁気ユニットは、第１のスクリーン管部内に設置され、第１のスクリーンユニットの透光カーテン布の磁気ユニットに磁気吸引されて垂れ下がった状態となり、第３のスクリーンユニットと第１のスクリーンユニットとは分離可能であり、重り杆は、遮光カーテン布の第２のスクリーン管部内に配設され、結合部材は、遮光カーテン布の頂端後方の両側に形成され、組み合わせ部材は、遮光カーテン布の底端後方の両側に形成され、組み合わせ部材は、結合部材に粘着され、第３のスクリーンユニットは、折り畳んだ状態か垂れ下がって展開した状態であることを特徴とするコードレス磁気吸引式スクリーン構造。
【０００７】
（２）第１のスクリーンユニット、複数の第２のスクリーンユニット及び第３のスクリーンユニットの各磁気ユニットは、それぞれ杆体を有し、全体的に長尺状を呈し、杆体には、少なくとも１つの磁石が配設されることを特徴とする前記（１）に記載のコードレス磁気吸引式スクリーン構造。
【０００８】
（３）各第２のスクリーンユニットは、調整ユニットを有し、
調整ユニットは、複数の第２のスクリーンユニットの遮光カーテン布の前方に設けられて金属ユニットに位置し、
調整ユニットは、調整ブロックと、２つの挟持ブロックと、複数の螺着部材と、を有し、調整ブロックは、第２のスクリーンユニットの遮光カーテン布の前方に配設されるとともに、底端が弧形状に形成され、金属ユニットに嵌合する抱合面を有し、底端両側に少なくとも１つの孔部が形成され、頂端に延伸端が設けられ、挟持ブロックは、複数の第２のスクリーンユニットの遮光カーテン布の後方、かつ、調整ブロックの底端両側に対応して配設され、調整ブロックの各孔部に対応した少なくとも１つの枢着孔を有し、螺着部材は、２つの挟持ブロックの各枢着孔にそれぞれ枢着され、調整ブロックの各孔部に螺合し、調整ユニットが固定されることを特徴とする前記（１）に記載のコードレス磁気吸引式スクリーン構造。
【０００９】
（４）第１のスクリーンユニットの第１の結合部材及び第２の結合部材と、第３のスクリーンユニットの結合部材とは、オス型面ファスナー部、メス型面ファスナー部の何れかであり、
各第２のスクリーンユニットの組み合わせ部材と第３のスクリーンユニットの組み合わせ部材とは、メス型面ファスナー部、オス型面ファスナー部の何れかであることを特徴とする前記（１）に記載のコードレス磁気吸引式スクリーン構造。
【００１０】
（５）第４のスクリーンユニットをさらに備え、
第４のスクリーンユニットは、透光カーテン布、組み合わせ部材及び重り杆を有し、透光カーテン布の底端には、スクリーン管部が設けられ、スクリーン管部には、透光カーテン布が巻き付けられて縫着部が形成され、組み合わせ部材は、透光カーテン布の頂端前方に位置して形成され、組み合わせ部材は、第１のスクリーンユニットの透光カーテン布の底端後方に粘着され、第４のスクリーンユニットが第１のスクリーンユニットの透光カーテン布の底端に粘着されて垂れ下がった状態となり、第４のスクリーンユニットと第１のスクリーンユニットとは分離可能であり、重り杆は、透光カーテン布のスクリーン管部内に配設されることを特徴とする前記（４）に記載のコードレス磁気吸引式スクリーン構造。
【００１１】
（６）第１のスクリーンユニットの透光カーテン布の底端後方には、第４のスクリーンユニットの透光カーテン布の組み合わせ部材を粘着する第３の結合部材が設けられ、
第１のスクリーンユニットの透光カーテン布の第３の結合部材は、オス型面ファスナー部又はメス型面ファスナー部の何れかであり、
第４のスクリーンユニットの透光カーテン布の組み合わせ部材は、メス型面ファスナー部又はオス型面ファスナー部の何れかであることを特徴とする前記（５）に記載のコードレス磁気吸引式スクリーン構造。
【００１２】
（７）第１のスクリーンユニットの第１の結合部材と、各第２のスクリーンユニットの組み合わせ部材とは連結杆であり、両者間に挟持スリーブを組み合わせて挟持固定し、
第１のスクリーンユニットの第２の結合部材と第３のスクリーンユニットの結合部材とは、オス型面ファスナー部、メス型面ファスナー部の何れかであり、
第３のスクリーンユニットの組み合わせ部材は、メス型面ファスナー部、オス型面ファスナー部の何れかであることを特徴とする前記（１）に記載のコードレス磁気吸引式スクリーン構造。
【００１３】
（８）挟持スリーブは、略Ｃ字状管に形成され、収容槽及び挟圧口が画成され、第１のスクリーンユニットの第１の結合部材と各第２のスクリーンユニットの組み合わせ部材とが収容槽内に収容され、挟圧口と係合されて位置決めされることを特徴とする前記（７）に記載のコードレス磁気吸引式スクリーン構造。
【００１４】
（９）第４のスクリーンユニットをさらに備え、
第４のスクリーンユニットは、第１のスクリーンユニットの透光カーテン布の底端に位置するとともに、第２のスクリーンユニットの遮光カーテン布の後方に位置して垂れ下がった状態となることを特徴とする前記（８）に記載のコードレス磁気吸引式スクリーン構造。
【００１５】
（１０）第４のスクリーンユニットは、透光カーテン布、組み合わせ部材及び重り杆を有し、
透光カーテン布の底端には、スクリーン管部が設けられ、透光カーテン布が巻き付けられて縫着部が形成され、
組み合わせ部材は、連結杆であるとともに、透光カーテン布の頂端一面に形成され、組み合わせ部材は、挟持スリーブの収容槽内に収容され、挟圧口と係合されて位置決めされ、第４のスクリーンユニットが第１のスクリーンユニットの透光カーテン布の底端に位置して垂れ下がった状態となり、第４のスクリーンユニットと第１のスクリーンユニットとは分離可能であり、重り杆は、透光カーテン布のスクリーン管部内に配設されることを特徴とする前記（９）に記載のコードレス磁気吸引式スクリーン構造。
【考案の効果】
【００１６】
本考案のコードレス磁気吸引式スクリーン構造は、第１のスクリーンユニットの透光カーテン布のスクリーン管部に形成した第１の穿孔スリーブ又は第１のスクリーンユニットの透光カーテン布後方の第２の結合部材の何れか１つをドア、窓枠に掛合（粘着）するか、ドア、窓枠に当接固定し、各第２のスクリーンユニットの調整ユニットを介し、使用者が手で持ち、各第２のスクリーンユニットの遮光カーテン布を上方へ案内し、各第２のスクリーンユニットの遮光カーテン布が上方へ折り畳まれ、その折り畳み状態は、吸着位置に応じて一部が折り畳まれた状態になるか、半分だけ折り畳まれた状態になるか、完全に折り畳まれた状態になる上、第４のスクリーンユニットの透光カーテン布を一部だけ遮ってもよいし、或いは、使用者が第３のスクリーンユニットの遮光カーテン布の後方両側に形成した結合部材及び組み合わせ部材を粘着し、第３のスクリーンユニットを折り畳んだ状態にし、第１のスクリーンユニットの透光カーテン布の遮りたい部分に応じて調整することができ、自宅及び事務所のドア又は窓枠に設置して修飾することができる上、室内の採光状況を変えてその照明の明るさを高め、太陽光が直接照射して眩しく感じて目を刺激し、温度が上昇するなどの問題点を改善することができ、室内に入射する光線の明るさを調整し、室内の採光状況を変えることができるため、各第２のスクリーンユニットの遮光カーテン布と第３のスクリーンユニットの遮光カーテン布とを折り畳んだり展開したりし、太陽光の一部を照射するか、太陽光の一部を遮り、室内に入射する光線の明るさを調整することができる上、第１のスクリーンユニット、複数の第２のスクリーンユニット、第３のスクリーンユニット、第４のスクリーンユニット間が分離可能であるため、使用者は容易に洗浄することができる。  
【図面の簡単な説明】
【００１７】
【図１】図１は、本考案の第１実施形態に係るコードレス磁気吸引式スクリーン構造を示す斜視図である。
【図２】図２は、本考案の第１実施形態に係るコードレス磁気吸引式スクリーン構造を示す分解斜視図（１）である。
【図３】図３は、本考案の第１実施形態に係るコードレス磁気吸引式スクリーン構造を示す分解斜視図（２）である。
【図４】図４は、図３の部分拡大図である。
【図５】図５は、本考案の一実施形態に係る磁気ユニットを示す分解斜視図である。
【図６】図６は、本考案の一実施形態に係る調整ユニットを示す分解斜視図である。
【図７】図７は、本考案の第２実施形態に係るコードレス磁気吸引式スクリーン構造を示す斜視図である。
【図８】図８は、本考案の第２実施形態に係るコードレス磁気吸引式スクリーン構造を示す分解斜視図（１）である。
【図９】図９は、本考案の第２実施形態に係るコードレス磁気吸引式スクリーン構造を示す分解斜視図（２）である。
【図１０】図１０は、図９の部分拡大図である。
【図１１】図１１は、本考案の第１実施形態及び第２実施形態に係るコードレス磁気吸引式スクリーン構造の動作を示す部分拡大図である。
【図１２】図１２は、本考案の第１実施形態に係るコードレス磁気吸引式スクリーン構造を折り畳むときの状態を示す説明図である。
【図１３】図１３は、本考案の第２実施形態に係るコードレス磁気吸引式スクリーン構造を折り畳むときの状態を示す説明図である。
【考案を実施するための形態】
【００１８】
（第１実施形態）
まず、図１〜図６を参照する。図１〜図６に示すように、本考案の第１実施形態に係るコードレス磁気吸引式スクリーン構造は、少なくとも第１のスクリーンユニット１と、複数の第２のスクリーンユニット２と、第３のスクリーンユニット３とから構成されてなる。
【００１９】
第１のスクリーンユニット１は、透光カーテン布１１、磁気ユニット１２、第１の結合部材１３及び第２の結合部材１４を有する。透光カーテン布１１は、所定の長さに切断され、頂端にスクリーン管部１１１が設けられる。スクリーン管部１１１には、透光カーテン布１１が巻き付けられて縫着されている。スクリーン管部１１１は、横方向で縫着された第１の穿孔スリーブ１１１１及び第２の穿孔スリーブ１１１２を有する。磁気ユニット１２は、第２の穿孔スリーブ１１１２内に配設される。第１の結合部材１３は、透光カーテン布１１の底端一面に形成される。第２の結合部材１４は、透光カーテン布１１の後方に位置し、スクリーン管部１１１の第２の穿孔スリーブ１１１２に形成される。
【００２０】
第２のスクリーンユニット２は、遮光カーテン布２１と、組み合わせ部材２２と、複数の穿孔スリーブ２３と、複数の磁気ユニット２４と、重り杆２５と、金属ユニット２６と、を有する。遮光カーテン布２１は、所定の長さに切断されるとともに、底端にスクリーン管部２１１が設けられる。スクリーン管部２１１には、遮光カーテン布２１が巻き付けられて縫着される。組み合わせ部材２２は、遮光カーテン布２１の頂端一面に形成される。組み合わせ部材２２により、第１のスクリーンユニット１の透光カーテン布１１の第１の結合部材１３に接続され、第２のスクリーンユニット２が第１のスクリーンユニット１の透光カーテン布１１の底端に位置して垂れ下がり、第２のスクリーンユニット２と第１のスクリーンユニット１とは分離可能である。穿孔スリーブ２３は、生地が遮光カーテン布２１の背面に縫着され、組み合わせ部材２２の下方に順次配列される。穿孔スリーブ２３は、一端が閉止状態で、他端が開口状態である。磁気ユニット２４は、組み合わせ部材２２下方の穿孔スリーブ２３内にそれぞれ順次配列される。重り杆２５は、プラスチック材料により長尺状に成形され、遮光カーテン布２１のスクリーン管部２１１内に配設される。金属ユニット２６は、金属材料により長尺状に成形され、磁気ユニット２４と重り杆２５との間の穿孔スリーブ２３内に設置され、金属ユニット２６を介して磁気ユニット２４に吸着され、第２のスクリーンユニット２が折り畳んだ状態か垂れ下がった状態となる。ここで第２のスクリーンユニット２は、数を複数にして並列接続してもよい。即ち、生地を切断して前述の第２のスクリーンユニット２を形成してもよい。
【００２１】
第３のスクリーンユニット３は、遮光カーテン布３１と、磁気ユニット３２と、重り杆３３と、少なくとも１つの結合部材３４と、少なくとも１つの組み合わせ部材３５と、を有する。遮光カーテン布３１は、所定の長さに切断され、頂端に第１のスクリーン管部３１１が設けられ、底端に第２のスクリーン管部３１２が設けられる。第１のスクリーン管部３１１及び第２のスクリーン管部３１２には、遮光カーテン布３１がそれぞれ巻き付けられて縫着される。磁気ユニット３２は、第１のスクリーン管部３１１内に設置され、第１のスクリーンユニット１の透光カーテン布１１の磁気ユニット１２に磁気吸引され、第３のスクリーンユニット３が第１のスクリーンユニット１の透光カーテン布１１の前方に磁気吸引されて垂れ下がり、第３のスクリーンユニット３と第１のスクリーンユニット１とは分離可能である。重り杆３３は、プラスチック材料により長尺状に成形され、遮光カーテン布３１の第２のスクリーン管部３１２内に配設される。結合部材３４は、遮光カーテン布３１の頂端後方の両側に形成される。組み合わせ部材３５は、遮光カーテン布３１の底端後方の両側に形成される。組み合わせ部材３５は、結合部材３４に粘着され、第３のスクリーンユニット３は、折り畳んだ状態か垂れ下がって展開した状態である。ここで、第３のスクリーンユニット３の数は１個であるが、生地を切断して複数の第３のスクリーンユニット３を成形し、第３のスクリーンユニット３を並列接続してもよい。
【００２２】
以下、上述した構造について詳しく説明する。
【００２３】
前述した第１のスクリーンユニット１、第２のスクリーンユニット２及び第３のスクリーンユニット３の各磁気ユニット１２，２４，３２は、それぞれ杆体１２１，２４１，３２１を有し、プラスチック材料又は木材からなり、全体的に長尺状を呈する。少なくとも１つの磁石１２２，２４２，３２２は、杆体１２１，２４１，３２１に配設される。各磁石１２２，２４２，３２２は強力な磁石である。ここで各磁気ユニット１２，２４，３２の杆体１２１，２４１，３２１は、上向きのコ字状管、中空管又はＣ字状管である。本実施形態の杆体１２１，２４１，３２１は、上向きのコ字状管を呈し（図５を参照する）、磁石１２２，２４２，３２２が杆体１２１，２４１，３２１に収容された後、膜を組み合わせて杆体１２１，２４１，３２１の外周を覆う。
【００２４】
前述した各第２のスクリーンユニット２は、調整ユニット２７を有する。調整ユニット２７は、複数の第２のスクリーンユニット２の遮光カーテン布２１の前方に設けて金属ユニット２６に位置し、金属ユニット２６と磁気ユニット２４との間の磁気吸引状態をアシストし、各第２のスクリーンユニット２の遮光カーテン布２１の折り畳み状態又は展開状態を調整する。
【００２５】
調整ユニット２７は、調整ブロック２７１と、２つの挟持ブロック２７２と、複数の螺着部材２７３と、を有する。調整ブロック２７１は、第２のスクリーンユニット２の遮光カーテン布２１の前方に配設されるとともに、底端が弧形状に形成され、金属ユニット２６に嵌合する抱合面２７１１を有し、底端両側に少なくとも１つの孔部２７１２が形成され、頂端には延伸端２７１３が設けられる。挟持ブロック２７２は、複数の第２のスクリーンユニット２の遮光カーテン布２１の後方、かつ、調整ブロック２７１の底端両側に対応して配設され、調整ブロック２７１の各孔部２７１２に対応した少なくとも１つの枢着孔２７２１が形成される。螺着部材２７３は、２つの挟持ブロック２７２の各枢着孔２７２１にそれぞれ枢着され、調整ブロック２７１の各孔部２７１２に螺合し、調整ユニット２７を固定する（図６を参照する）。
【００２６】
本実施形態の第１のスクリーンユニット１、第２のスクリーンユニット２、第３のスクリーンユニット３間の接続方式には以下の２種がある。
【００２７】
（第１種）
前述した第１のスクリーンユニット１の第１の結合部材１３及び第２の結合部材１４と、第３のスクリーンユニット３の結合部材３４とは、オス型面ファスナー部、メス型面ファスナー部の何れかである。各第２のスクリーンユニット２の組み合わせ部材２２と第３のスクリーンユニット３の組み合わせ部材３５とは、メス型面ファスナー部、オス型面ファスナー部の何れかである。前述したオス型面ファスナー部又はメス型面ファスナー部は縫着される。第１のスクリーンユニット１の第１の結合部材１３と複数の第２のスクリーンユニット２の組み合わせ部材２２とは、オス型面ファスナー部とメス型面ファスナー部との組み合わせであり互いに係合される（図２を参照する）。
【００２８】
（第２種）
前述した第１のスクリーンユニット１の第１の結合部材１３と、各第２のスクリーンユニット２の組み合わせ部材２２とは連結杆であり、両者間に挟持スリーブ５を組み合わせて挟持固定する。挟持スリーブ５が略Ｃ字状管に形成され、収容槽５１及び挟圧口５２が画成され、第１のスクリーンユニット１の第１の結合部材１３と各第２のスクリーンユニット２の組み合わせ部材２２とが収容槽５１内に収容され、挟圧口５２と係合されて位置決めされる。第１のスクリーンユニット１の第２の結合部材１４と第３のスクリーンユニット３の結合部材３４とは、オス型面ファスナー部、メス型面ファスナー部の何れかである。第３のスクリーンユニット３の組み合わせ部材３５は、メス型面ファスナー部、オス型面ファスナー部の何れかである。そのため、第１のスクリーンユニット１の第１の結合部材１３と、第２のスクリーンユニット２の組み合わせ部材２２とは連結杆から選択し、挟持スリーブ５と組み合わせて挟持固定する（図３及び図４を参照する）。
【００２９】
（第２実施形態）
図７〜図１０を参照する。図７〜図１０に示すように、本考案の第２実施形態に係るコードレス磁気吸引式スクリーン構造は、前述した第１のスクリーンユニット１、複数の第２のスクリーンユニット２及び第３のスクリーンユニット３の他、第４のスクリーンユニット４を備えるとともに、第１のスクリーンユニット１の透光カーテン布１１の底端に位置して垂れ下がった状態となる。第１のスクリーンユニット１、複数の第２のスクリーンユニット２及び第３のスクリーンユニット３の各全体構造は既に述べているため、ここでは繰り返し述べない。第４のスクリーンユニット４は、前述した第１のスクリーンユニット１、複数の第２のスクリーンユニット２及び第３のスクリーンユニット３との連結方式には２種あり、以下それらについて説明する。
【００３０】
（第１種）
前述した第１のスクリーンユニット１の第１の結合部材１３及び第２の結合部材１４と、第３のスクリーンユニット３の結合部材３４とは、オス型面ファスナー部、メス型面ファスナー部の何れかである。各第２のスクリーンユニット２の組み合わせ部材２２と第３のスクリーンユニット３の組み合わせ部材３５とは、メス型面ファスナー部、オス型面ファスナー部の何れかである。前述したオス型面ファスナー部又はメス型面ファスナー部は、縫着されている。この構成により、第１のスクリーンユニット１の第１の結合部材１３と複数の第２のスクリーンユニット２の組み合わせ部材２２とは、オス型面ファスナー部とメス型面ファスナー部との組み合わせにより係合する。第４のスクリーンユニット４は、第１のスクリーンユニット１の透光カーテン布１１の底端後方に位置し、垂れ下がった状態にある。
【００３１】
第４のスクリーンユニット４は、透光カーテン布４１、組み合わせ部材４２及び重り杆４３を有する。透光カーテン布４１の底端には、スクリーン管部４１１が設けられる。スクリーン管部４１１には、透光カーテン布４１が巻き付けられて縫着される。組み合わせ部材４２は、透光カーテン布４１の頂端前方に位置して形成される。組み合わせ部材４２は、第１のスクリーンユニット１の透光カーテン布１１の底端後方に粘着され、第４のスクリーンユニット４が第１のスクリーンユニット１の透光カーテン布１１の底端に粘着されて垂れ下がった状態となり、第４のスクリーンユニット４と第１のスクリーンユニット１とは分離可能である。重り杆４３は、透光カーテン布４１のスクリーン管部４１１内に配設される。第１のスクリーンユニット１の透光カーテン布１１の底端後方には、第４のスクリーンユニット４の透光カーテン布４１の組み合わせ部材４２を粘着する第３の結合部材１５が設けられる。第１のスクリーンユニット１の透光カーテン布１１の第３の結合部材１５は、オス型面ファスナー部又はメス型面ファスナー部の何れかである。第４のスクリーンユニット４の透光カーテン布４１の組み合わせ部材４２は、メス型面ファスナー部又はオス型面ファスナー部の何れかである（図８を参照する）。
【００３２】
（第２種）
前述した第１のスクリーンユニット１の第１の結合部材１３と各第２のスクリーンユニット２の組み合わせ部材２２とはそれぞれ連結杆であり、両者間は、挟持スリーブ５を組み合わせて挟持固定し、第１のスクリーンユニット１の第１の結合部材１３と各第２のスクリーンユニット２の組み合わせ部材２２とを挟持スリーブ５の収容槽５１内に収容し、挟圧口５２と係合位置決めする。上述した連結杆は、縫着されて固定される。そのため、第１のスクリーンユニット１の第１の結合部材１３と複数の第２のスクリーンユニット２の組み合わせ部材２２とは、連結杆から選択し、挟持スリーブ５と組み合わせて挟持固定する。第４のスクリーンユニット４は、第１のスクリーンユニット１の透光カーテン布１１の底端に位置決めされるとともに、複数の第２のスクリーンユニット２の遮光カーテン布２１の後方に位置して垂れ下がった状態にある。第４のスクリーンユニット４は、透光カーテン布４１、組み合わせ部材４２及び重り杆４３を有する。透光カーテン布４１の底端には、スクリーン管部４１１が設けられ、透光カーテン布４１が巻き付けられて縫着される。組み合わせ部材４２は、透光カーテン布４１の頂端一面に形成される。組み合わせ部材４２は、挟持スリーブ５の収容槽５１内に収容され、挟圧口５２と係合されて位置決めされ、第４のスクリーンユニット４が第１のスクリーンユニット１の透光カーテン布１１の底端に位置して垂れ下がった状態となり、第４のスクリーンユニット４と第１のスクリーンユニット１とは分離可能である。重り杆４３は、透光カーテン布４１のスクリーン管部４１１内に配設される。第４のスクリーンユニット４の透光カーテン布４１の組み合わせ部材４２は連結杆である（図９及び図１０を参照する）。
【００３３】
図１１〜図１３を参照する。図１１〜図１３に示すように、本考案の第１実施形態及び第２実施形態に係るコードレス磁気吸引式スクリーン構造は、実際に使用する際、第１のスクリーンユニット１の透光カーテン布１１のスクリーン管部１１１に形成した第１の穿孔スリーブ１１１１又は第１のスクリーンユニット１の透光カーテン布１１後方の第２の結合部材１４の何れか１つをドア、窓枠に掛合するか、ドア、窓枠に当接固定する。ここでドア、窓枠に横杆を設けると、第１のスクリーンユニット１の透光カーテン布１１のスクリーン管部１１１に形成した第１の穿孔スリーブ１１１１に挿通した横杆が掛合状態となる。ドア、窓枠にメス型面ファスナー部／オス型面ファスナー部を設けると、第１のスクリーンユニット１の透光カーテン布１１の後方に位置する第２の結合部材１４がメス型面ファスナー部／オス型面ファスナー部に粘着された状態となり、各第２のスクリーンユニット２の調整ユニット２７を介し、使用者が調整ブロック２７１の延伸端２７１３を手で持ち、各第２のスクリーンユニット２の遮光カーテン布２１を上方へ案内し、金属ユニット２６と何れか１つの磁気ユニット２４を制御すると、互いに吸着した状態となる（図１１を参照する）上、各磁気ユニット２４間が互いに磁気吸引され、各第２のスクリーンユニット２の遮光カーテン布２１が上方へ折り畳まれる。その折り畳み状態は、吸着位置に応じて一部が折り畳まれた状態になるか、半分だけ折り畳まれた状態になるか、完全に折り畳まれた状態になる上（図１２を参照する）、第４のスクリーンユニット４の透光カーテン布４１を一部だけ遮ってもよい（図１３を参照する）。或いは、使用者は、第３のスクリーンユニット３の遮光カーテン布３１後方両側に形成した結合部材３４及び組み合わせ部材３５を粘着し、結合部材３４の長さを組み合わせ部材３５の長さより大きくするか小さくし、第３のスクリーンユニット３を折り畳んだ状態にし、第１のスクリーンユニット１の透光カーテン布１１の遮りたい部分に応じて調整することができ、自宅及び事務所のドア又は窓枠に設置して修飾することができる上、室内の採光状況を変えてその照明の明るさを高め、太陽光が直接照射して眩しく感じて目を刺激し、温度が上昇してしまうなどの問題点を改善することができ、各種自動車の車窓に応用し、太陽光が車内に直接照射することを防ぐことができる。これとは反対に、調整ユニット２７を使用して金属ユニット２６と磁気ユニット２４とを引き離すと、第２のスクリーンユニット２の遮光カーテン布２１を展開したり垂れ下げたりするか、第３のスクリーンユニット３の遮光カーテン布３１の結合部材３４及び組み合わせ部材３５を切り裂く場合、第３のスクリーンユニット３の遮光カーテン布３１を展開したり吊り下げ、室内に入射する光線の明るさを調整し、室内の採光状況を変えることができる。そのため、各第２のスクリーンユニット２の遮光カーテン布２１と第３のスクリーンユニット３の遮光カーテン布３１とを折り畳んだり展開したりし、太陽光の一部を照射したり太陽光の一部を遮ったりし、室内に入射する光線の明るさを調整することができる。また、第２のスクリーンユニット２及び第４のスクリーンユニット４は、如何なる種類であっても第１のスクリーンユニット１に接続することができる。本実施形態の複数の第２のスクリーンユニット２の組み合わせ部材２２、第４のスクリーンユニット４の組み合わせ部材４２と、第１のスクリーンユニット１の第１の結合部材１３及び第３の結合部材１５との間は、メス型面ファスナー部とオス型面ファスナー部との組み合わせにより係合状態にすることができる。また、第３のスクリーンユニット３と第１のスクリーンユニット１とは、磁気ユニット１２，３２の組み合わせにより磁気吸引し、第１のスクリーンユニット１、複数の第２のスクリーンユニット２、第３のスクリーンユニット３、第４のスクリーンユニット４間が分離可能であるため、使用者は容易に洗浄することができる。  
【符号の説明】
【００３４】
１  第１のスクリーンユニット
２  第２のスクリーンユニット
３  第３のスクリーンユニット
４  第４のスクリーンユニット
５  挟持スリーブ
１１  透光カーテン布
１２  磁気ユニット
１３  第１の結合部材
１４  第２の結合部材
１５  第３の結合部材
２１  遮光カーテン布
２２  組み合わせ部材
２３  穿孔スリーブ
２４  磁気ユニット
２５  重り杆
２６  金属ユニット
２７  調整ユニット
３１  遮光カーテン布
３２  磁気ユニット
３３  重り杆
３４  結合部材
３５  組み合わせ部材
４１  透光カーテン布
４２  組み合わせ部材
４３  重り杆
５１  収容槽
５２  挟圧口
１１１  スクリーン管部
１２１  杆体
１２２  磁石
２１１  スクリーン管部
２４１  杆体
２４２  磁石
２７１  調整ブロック
２７２  挟持ブロック
２７３  螺着部材
３１１  第１のスクリーン管部
３１２  第２のスクリーン管部
３２１  杆体
３２２  磁石
４１１  スクリーン管部
１１１１  第１の穿孔スリーブ
１１１２  第２の穿孔スリーブ
２７１１  抱合面
２７１２  孔部
２７１３  延伸端
２７２１  枢着孔
【図１】
0003211877.tif 000003
【図２】
0003211877.tif 000004
【図３】
0003211877.tif 000005
【図４】
0003211877.tif 000006
【図５】
0003211877.tif 000007
【図６】
0003211877.tif 000008
【図７】
0003211877.tif 000009
【図８】
0003211877.tif 000010
【図９】
0003211877.tif 000011
【図１０】
0003211877.tif 000012
【図１１】
0003211877.tif 000013
【図１２】
0003211877.tif 000014
【図１３】
0003211877.tif 000015